【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
液体を取り扱う液体取扱系統から排出された液体を連続した工程内で処理する液体処理方法であって、
微生物が収容された生物処理槽で処理する工程と、
前記生物処理槽で用いる微生物を最適化して最適微生物を得るための微生物最適化工程と、を備え、
前記微生物最適化工程は、
前記液体取扱系統から排出された原液を含む液体を採取する液体採取工程と、
前記液体を培養基質として用い、前記生物処理槽内での処理に適した前記最適微生物をスクリーニングするスクリーニング工程と、
スクリーニングされた前記最適微生物を培養する培養工程と、
培養された前記最適微生物を前記生物処理槽内に供給する供給工程と、を有していることを特徴とする液体処理方法。
【請求項２】
前記液体取扱系統から排出された原液を取り込んで所定の処理を行う１次処理工程と、
前記１次処理後の液体を、前記生物処理槽で処理する２次処理工程と、を備え、
前記液体採取工程は、前記液体取扱系統から前記原液を直接採取するか、又は、前記液体取扱系統から前記生物処理槽の流入口までの間のいずれかの位置で液体を採取する、請求項１に記載の液体処理方法。
【請求項３】
前記微生物最適化工程は、前記生物処理槽及び前記生物処理槽以外の外部環境のうち、少なくとも前記生物処理槽から微生物を採取する微生物採取工程を備え、
前記スクリーニング工程では、前記微生物採取工程で採取した微生物を前記培養基質に添加している、請求項１又は２に記載の液体処理方法。
【請求項４】
前記スクリーニング工程は、前記微生物採取工程で採取した微生物を前記培養基質に添加して培養し、添加した微生物の中から成長が早い微生物を選定している、請求項１〜３のいずれか１項に記載の液体処理方法。
【請求項５】
前記微生物最適化工程は、前記スクリーニング工程を実行するタイミングを決定するタイミング決定工程を有する、請求項１〜４のいずれか１項に記載の液体処理方法。
【請求項６】
前記タイミング決定工程は、定期的に、又は、前記液体採取工程で採取した前記原液若しくは前記液体における予め定めた所定の物性が予め設定された管理レベルに到達したときに、前記スクリーニング工程の実行を促している、請求項５に記載の液体処理方法。
【請求項７】
前記微生物最適化工程は、前記タイミング決定工程により決定された前記タイミングによって複数回実行可能であり、
前記スクリーニング工程は、
前記タイミング決定工程で決定された最新のタイミングで実行された最新スクリーニング工程によりスクリーニングされた微生物と、前記最新のタイミングよりも以前に実行された前記微生物最適化工程で培養された微生物と、を比較して、前記最新のタイミングにおける前記２次処理工程のために適した微生物を選択する微生物選択工程を備えている、請求項５又は６に記載の液体処理方法。
【請求項８】
前記微生物最適化工程は、前記液体採取工程で採取した前記原液又は前記液体を滅菌又は殺菌する滅菌処理工程又は殺菌処理工程を備えている、請求項１〜７のいずれか１項に記載の液体処理方法。
【請求項９】
液体を取り扱う液体取扱系統から排出される原液に所定の処理を行った１次処理後の液体に対し、生物処理槽で生物的処理を行う際に用いる微生物を連続した工程内で最適化して最適微生物を得るための微生物最適化方法であって、
前記液体取扱系統から前記原液を直接採取するか、又は、前記液体取扱系統から前記生物処理槽の流入口までの間のいずれかの位置で液体を採取する、液体採取工程と、
前記液体取扱系統で採取した前記原液又は前記液体取扱系統から前記生物処理槽の流入口までの間のいずれかの位置で採取した前記液体を培養基質として用いて前記１次処理後の液体の処理に適した前記最適微生物をスクリーニングするスクリーニング工程と、
スクリーニングされた前記最適微生物を培養する培養工程と、
培養された前記最適微生物を前記生物処理槽内に供給する供給工程と、を有することを特徴とする微生物最適化方法。
【請求項１０】
前記培養基質に添加する微生物は、前記生物処理槽及び前記生物処理槽以外の外部環境のうち、少なくとも前記生物処理槽から採取した微生物を含む、請求項９に記載の微生物最適化方法。
【請求項１１】
前記スクリーニング工程を実行するタイミングを決定するタイミング決定工程を有する、請求項９又は１０に記載の微生物最適化方法。
【請求項１２】
前記タイミング決定工程は、定期的に、又は、前記液体採取工程で採取した前記原液若しくは前記液体における予め定めた所定の物性が予め設定された管理レベルに到達したときに、前記スクリーニング工程の実行を促している、請求項１１に記載の微生物最適化方法。
【請求項１３】
前記タイミング決定工程により決定された前記タイミングによって前記スクリーニング工程は複数回実行可能であり、
前記スクリーニング工程は、
前記タイミング決定工程で決定された最新のタイミングで実行された最新スクリーニング工程によりスクリーニングされた微生物と、前記最新のタイミングよりも以前に実行された前記スクリーニング工程でスクリーニングされた微生物と、を比較して、前記最新のタイミングにおける前記１次処理後の液体を処理するために適した微生物を選択する微生物選択工程を備えている、請求項１１又は１２に記載の微生物最適化方法。
【請求項１４】
前記スクリーニング工程は、前記培養基質及び前記微生物をスクリーニング容器に収容して微生物を培養することを繰り返す複数の培養ステップを含む、請求項９〜１３のいずれか１項に記載の微生物最適化方法。
【請求項１５】
前記液体取扱系統から採取された原液、又は、前記液体取扱系統から前記生物処理槽の流入口までの間のいずれかの位置で採取した液体を滅菌又は殺菌する滅菌処理工程又は殺菌処理工程を備えている、請求項９〜１４のいずれか１項に記載の微生物最適化方法。
【請求項１６】
液体を取り扱う液体取扱系統から排出された液体を連続した工程内で処理する液体処理装置であって、
微生物が収容された生物処理槽と、前記生物処理槽で用いる微生物を最適化して最適微生物を得るための微生物最適化処理部と、を備え、
前記微生物最適化処理部は、前記液体取扱系統から排出された原液を含む液体を採取する液体採取部と、前記液体を培養基質として用い、前記生物処理槽内での処理に適した前記最適微生物をスクリーニングするスクリーニング処理部と、スクリーニングされた前記最適微生物を培養する培養処理部と、培養された前記最適微生物を前記生物処理槽内に供給する供給部と、を有している、ことを特徴とする液体処理装置。
【請求項１７】
前記液体取扱系統から排出された原液を取り込んで所定の処理を行う１次処理部と、前記１次処理部で行った処理後の液体を、前記生物処理槽で処理する２次処理部と、を備え、
前記液体採取部は、前記液体取扱系統から前記原液を直接採取するか、又は、前記液体取扱系統から前記生物処理槽の流入口までの間のいずれかの位置で液体を採取する、請求項１６に記載の液体処理装置。
【請求項１８】
前記スクリーニング処理部は、前記原液又は前記液体を殺菌するための殺菌処理部を備えている、請求項１６又は１７に記載の液体処理装置。
【手続補正２】
【補正対象書類名】明細書
【補正対象項目名】発明の名称
【補正方法】変更
【補正の内容】
【発明の名称】液体処理方法及び微生物最適化方法並びに液体処理装置